(57)【特許請求の範囲】
【請求項１】
袋に粉を充填する充填機と、該充填機で粉を充填した粉入り袋を水平方向へ移送するコンベアとの間に当該袋を反転できる反転板を設けた装置において、前記反転板は、落下する袋の側面に平らに当たるように角度を設けて受け止めるように設置した緩衝器付きの反転板であって、該反転板の袋の支持面を凸弧状にすると共に、前記反転板は、前記コンベアの進行方向と直角な軸１１により軸回転して、前記袋をコンベアの進行方向へ９０度反転できるべく、前記袋と、コンベアとの間に回転可能に架設したことを特徴とする粉入り袋の移送装置。
【発明の詳細な説明】
【技術分野】
【０００１】
この発明は、粉体又は粒状物を袋詰めし、これを移送する際に、袋の供給装置の設置方向により同一コンベア上に表裏の袋が同時に流れることがないよう、袋の表裏をコンベアに供給する途中で反転させることにより表裏を揃えることを目的とした粉入り袋の移送方法及び装置に関する。
【背景技術】
【０００２】
従来コンベア等で移送される袋の向きを変える場合には、コンベア等の移送途中に反転機を介装していた。またコンベアに落下する際、袋が反転するようにコンベアに落差を設けていた。
【特許文献１】特開平９−９９９０４
【発明の開示】
【発明が解決しようとする課題】
【０００３】
前記公知の発明は、倒れた状態で移送される袋を立ち上げて、直立並列させる方法であるが、複数の袋立ち上げ爪、その動力など、相当の床面積と、これを管理するリフト付き装置などを要する問題点があった。
【０００４】
前記発明の外、移送コンベアを二分し、その間に反転機を介装する手段も普通に使用されているが、前記はコンベアを二分し、その間に反転機を介装するので、動力装置及び床面積の増加は免れないなどの問題点があった。
【課題を解決するための手段】
【０００５】
この発明は、移送コンベアと、充填機との間にある反転板を改善し（床面積の増加なし）、反転板を回転可能に架設させることにより、袋を滑降させ、又は袋を回転させ、コンベアの進行と協同して、袋口の方向を一致させることに成功し、前記従来の問題点を解決したのである。
【０００６】
即ち方法の発明は、充填機により袋に粉を充填し、粉入り袋とした後、水平方向へ移送するコンベア上へ、当該袋を供給する方法において、充填機の受台から袋をコンベア上に横倒しに供給する途中で当該袋の側面を、落下する袋の側面に平らに当たるように緩衝装置付きの反転板で受け止め、ついで反転板を回転させ、前記袋をコンベアの進行方向へ９０度反転させて、コンベア上にのせることを特徴とした粉入り袋の移送方法である。
【０００７】
また装置の発明は、充填機により袋に粉を充填し、粉入り袋とした後、水平方向へ移送するコンベア上へ、当該袋を供給するようにした装置において、前記充填機の受台から袋をコンベア上に横倒しに供給する途中で、当該袋の側面を緩衝装置を設けた反転板で受け止め、該反転板は前記袋をコンベアの進行方向へ９０度反転させるべく前記袋と、コンベアとの間に回転可能に架設したことを特徴とする粉入り袋の移送装置であり、反転板の支持面は凸弧状として粉入り袋を弧状に支持したことを特徴とする請求項２記載の粉入り袋の移送装置であり、反転板の下面には、粉入り袋の落下時の衝撃を緩和する緩衝装置を設置したことを特徴とする請求項３記載の粉入り袋の移送装置である。
【０００８】
この発明においては、移送用のコンベアの一側又は両側に袋マガジンラックがある場合を想定している。従って、両側にある場合に、袋が同一方向を向いてマガジンラックに入っている場合には、一方又は他方の袋の向きを考えなければ、コンベア上に移った袋の口を同一方向に揃えるには、一方の袋マガジンラックに入っている袋は常に反転させなければ、他方のマガジンラックの粉袋と同一方向へ揃えることはできない。
【０００９】
また、コンベアの一側に袋マガジンラックがある場合には、コンベア上へ並べる粉入り袋の充填口を上に揃えるか、下に揃えるかによって、前記反転板を袋の滑降傾斜にするか、反転させるかを選定することになる。従ってコンベア上の粉入り袋の予定姿勢に対応すべく反転板を傾斜させ、又は反転させることにより目的を達成することができる。
【発明の効果】
【００１０】
移送用のコンベアの一方に充填機を設置するとき、充填機の設置場所が十分にとれない場合、２台の充填機を隣り合わせて設置し、袋の供給装置（給袋機）を他の充填機の反対側に位置させて設置する。
【００１１】
袋はマガジンラックから吸盤により保持され充填機に移送されるがそのときに他の吸盤で粉の吹込み口を開かれ充填機の粉供給ノズルが差し込まれる。
【００１２】
充填機に移送される袋はそれぞれ充填口が向かい合いそのままコンベアに供給されるとコンベア上で９０度反転するので表裏の袋が同時にコンベアに供給される。
【００１３】
この発明では、反転装置を使用することにより一方の袋の表裏を９０度反転することにより、コンベア上の袋の表裏を揃えることができる（図５）。
【発明を実施するための最良の形態】
【００１４】
この発明は、袋に粉を充填した粉入り袋と、これを移送するコンベアとの間に、粉入り袋の反転板を回転可能に架設し、粉入り袋の載置すべき姿勢に応じ、反転板の回転角度を変えるようにしたものである。
【００１５】
前記反転板には、重量のある（例えば２５ｋｇ）粉入り袋が落下し受け止められるので、反転板には緩衝装置を付設して衝撃を緩和し、かつ粉袋の反転板上の姿勢が崩れないように、粉入り袋を弧状に支持すべく、反転板を凸弧状に膨出させてある。
【実施例１】
【００１６】
この発明の実施例を図１、２、３、４、５について説明すると、コンベア８の一側上方に設置したマガジンラック９から、袋４が吸盤などを利用して一袋宛取り出され（図４、５）、受台６上へ直立載置されると共に、支持柱１に設置された粉体の移送パイプ２の先端側のノズル３が袋４の充填口５に挿入される（図１）。前記袋４に所定量の粉が充填されたならば、粉入り袋４ａは反転板７上へ落下移行する。図中１６は緩衝器である。
【００１７】
前記実施例の動作を図４について詳細に説明すると、反転板７は落下する袋４ａの側面に平らに当るように角度を設けて設置している。反転板は矢示１４の方向に１１を軸として回転し袋４ａは図４のとおり水平となる。軸１１は袋の落下の衝撃を緩衝するため緩衝器が設けてある。
【００１８】
袋４ａはその後反転板から１５の方向に反転しながら落下しコンベア８上に供給される。
【００１９】
この結果、袋４ａは表を上面としてコンベア８上に供給される。
【００２０】
反転板にはばねが備えてあり、袋が落下後、ばね１７により元の位置に戻る。
【００２１】
反転板には、袋を受ける際に支持を確実にするため、図３の７ａのように中央が凸状にわずかに盛り上がっている。
【００２２】
このため、単なる平板による場合よりもさらに袋の支持能力が向上しコンベアに供給する袋の姿勢の乱れが少なくなる。
【００２３】
前記粉入り袋４ａが反転板７上へ矢示１０のように落下した際に、反転板７が矢示１４のように回転すると、反転板７上の粉入り袋４ａは矢示１５のように前方（コンベアの進行方向）へ倒れるので、粉入り袋４ａは表面を上にした姿勢で載置され、移送される。
【００２４】
前記図４（ｂ）においては、粉入り袋４ａが、前記図４（ａ）と同一姿勢（右裏、左表）で送られることを想定したので表を上面にしたが、粉入り袋４ａが、右裏、左表で送られると、図４（ｂ）における操作の結果コンベア８上の粉入り袋４ａは何れも裏を上面にして揃えられる。即ち反転板の操作によりコンベア８上の粉入り袋４ａの表裏を決めることができる。
【実施例２】
【００２５】
この発明の他の実施例を図５（ａ）、（ｂ）について説明する。図５は、コンベア８の左右両側へマガジンラック９、９ａを設置し、夫々に充填装置を付属させた場合の実施例である。この実施例は、マガジンラック９、９ａ内ヘ袋が同一状態で入れてある場合を想定している。
【００２６】
従って図５（ａ）の場合には、実施例１の図４（ｂ）のように反転して粉入り袋の表が上になるようにコンベア８上へ並べることができる。また図５（ｂ）の場合には、コンベア８上へ直接供給することにより、コンベア８上の粉入り袋４ａは何れも表を上面にして運ばれることになる。
【００２７】
従って、図５における粉入り袋は、袋の向きが表裏反対にも拘らずコンベア上では同一方向に揃えられる。
【図面の簡単な説明】
【００２８】
【図１】この発明の実施例の充填機、反転板及びコンベアの配置関係を示す説明図。
【図２】同じく図１を側方より見た説明図。
【図３】（ａ）同じく反転板の拡大平面図、（ｂ）同じく拡大側面図、（ｃ）同じく粉入り袋の弧状支持を示す図。
【図４】（ａ）同じくマガジンラックが一つの場合の粉入り袋の移行を示す説明図、（ｂ）同じく他の例を示す説明図。
【図５】（ａ）同じくマガジンラックを二つ備えた実施例の動作説明図、（ｂ）同じく他の動作説明図。
【符号の説明】
【００２９】
１  支持柱
２  移送パイプ
３  ノズル
４  袋
４ａ  粉入り袋
５  充填口
６  受台
７  反転板
８  コンベア
９、９ａ  マガジンラック
１６  緩衝機
【図１】
0004831507.tif 000002
【図２】
0004831507.tif 000003
【図３】
0004831507.tif 000004
【図４】
0004831507.tif 000005
【図５】
0004831507.tif 000006